(57)【要約】  本発明は、髪受け面（１４）を有する細長いアーム（１２）を具えるヘアスタイリングデバイス（１０）を提供する。アーム（１２）内に、ファン（１８）によって内部に吹き込まれる空気が通す空気路（１６）がある。この空気路（１６）は、アーム（１２）に平行な細長い空気出口（２４）を具える。空気出口（２４）は、頭髪の長さに沿って空気を吹き出すように構成されている。髪受け面（１４）には、ブラシを形成する毛（２６）が取り付けられている。【選択図】図１
2009505699.tif 000002
【特許請求の範囲】
【請求項１】
ヘアスタイリングデバイスにおいて：
アームの少なくとも一部に沿って延在する髪受け面を具える細長いアームと；
当該アームに連結しており、前記髪受け面に付随する細長い空気出口に流体接続する空気路であって、前記細長い空気出口は前記アームにほぼ平行に配置されて頭髪の長さに概略沿って空気を吹き出すように構成されている空気路と；
前記アームの前記髪受け面に、あるいはこれに近接して取り付けられたブラシ手段とを具えることを特徴とするヘアスタイリングデバイス。
【請求項２】
ヘアスタイリングデバイスにおいて：
互いに対し閉じることができる二つの細長いアームを具え、各アームが髪受け面を有する一対のトングと；
少なくとも一の前記髪受け面に連結された加熱部材と；
少なくとも前記アームの一方に連結されており、このアームの前記髪受け面に付随している空気出口と流体接続された空気路と；
前記空気路に機能的に接続され、前記通路を通って前記細長い空気出口から出る空気の流れを加熱する空気加熱手段と；
少なくとも前記アームの一方の前記髪受け面に、あるいはこれに近接して取り付けられたブラシ手段とを具えることを特徴とするヘアスタイリングデバイス。
【請求項３】
請求項１又は２のいずれかに記載のヘアスタイリングデバイスがさらに、前記空気路に機能的に取り付けられ、前記空気路と前記空気出口を通して空気を流すためのファンを具えることを特徴とするヘアスタイリングデバイス。
【請求項４】
請求項３に記載のヘアスタイリングデバイスにおいて、前記ファンが、前記１又はそれ以上のアームに固定的に取り付けられたファンケーシング内に設けられていることを特徴とするヘアスタイリングデバイス。
【請求項５】
請求項３に記載のヘアスタイリングデバイスにおいて、前記ファンが前記空気路に連通するフレキシブルパイプに接続しているファンケーシング内に設けられていることを特徴とするヘアスタイリングデバイス。
【請求項６】
請求項１乃至５のいずれか１項に記載のヘアスタイリングデバイスがさらに、前記空気路に機能的に連結された空気ヒータを具えることを特徴とするヘアスタイリングデバイス。
【請求項７】
請求項５又は６のいずれかに記載のヘアスタイリングデバイスにおいて、前記空気ヒータが前記ファンケーシング又は前記１又はそれ以上のアームのいずれかの中に設けられていることを特徴とするヘアスタイリングデバイス。
【請求項８】
請求項１乃至７のいずれか１項に記載のヘアスタイリングデバイスにおいて、前記ブラシ手段が、平らな毛の１又はそれ以上の列を具えることを特徴とするヘアスタイリングデバイス。
【請求項９】
請求項１乃至８のいずれか１項に記載のヘアスタイリングデバイスにおいて、前記ブラシ手段が、回転可能に設けられたブラシを具え、当該ブラシは、円運動するように前記ブラシを駆動する動力手段に連結されていることを特徴とするヘアスタイリングデバイス。
【請求項１０】
請求項１乃至９のいずれか１項に記載のヘアスタイリングデバイスにおいて、前記１又はそれ以上の髪受け面が、それぞれのアームに対してバネ付勢されていることを特徴とするヘアスタイリングデバイス。
【請求項１１】
請求項２に記載のヘアスタイリングデバイスにおいて、前記細長いアームが、互いに開いた位置へ離れるように付勢又は押されていることを特徴とするヘアスタイリングデバイス。
【請求項１２】
請求項４に記載のヘアスタイリングデバイスが、前記細長いアーム又は対のトングが前記ファンケーシングに取り外し可能に連結されたモジュール設計であることを特徴とするヘアスタイリングデバイス。
【請求項１３】
請求項１乃至１２のいずれか１項に記載のヘアスタイリングデバイスが、バッテリ駆動されるように構成されていることを特徴とするヘアスタイリングデバイス。
【請求項１４】
請求項１乃至１２のいずれか１項に記載のヘアスタイリングデバイスが、主電源を有するように構成されていることを特徴とするヘアスタイリングデバイス。
【発明の詳細な説明】
【技術分野】
【０００１】
本発明は、広くヘアスタイリングデバイスに関する。
【背景技術】
【０００２】
ヘアスタイリングの際には、しばしば濡れたもしくは湿った髪を乾かす必要がある。これは従来、ブロードライヤから熱風を髪へ向けて行う。しかしながら、このプロセスによると、頭髪は縮れた質感になってしまい、多くの望ましいヘアスタイルには対応できない。
【０００３】
縮毛は、頭髪をブローして乾かしている間に、髪にブラシをすることで、少しは防ぐことができる。さらに、ブラシとブロードライヤを併用すると、素晴らしく多様な望ましいヘアスタイルを達成できる。しかしながら、ヘアブラシとブロードライヤを同時に使用して高品質のスタイリングを達成するには、使用者の熟練が必要である。そして、使用者が十分な技能レベルに達するまでには、長年にわたる練習が必要である。
【０００４】
ブラシとブロワを併用して達成することが特に難しいヘアスタイルの一つに、真っ直ぐなストレートヘアがある。一部のプロヘアスタイリストは、「日本式の髪矯正」など化学的な髪矯正技術を利用してこのスタイルを達成している。しかしながら、この技術は高価であり、多くの時間を費やし、結果的には、頭髪にダメージを与えてしまう永続的な処置である。
【０００５】
他のスタイリストは、矯正アイロン又はヘアトングとして知られるヘアアイロンを使用して、一時的に頭髪を矯正している。ヘアアイロンによって、二つの熱いアイロン面の間で頭髪をプレスして、頭髪の構造を変化させる。いくつかのヘアアイロンは、ブローして乾かした後に、頭髪に使用する。他のものは、濡れた頭髪に使用する。
【発明の開示】
【０００６】
本発明の一態様によると：
アームの少なくとも一部に沿って延在する髪受け面を具える細長いアームと；
当該アームに連結しており、当該髪受け面に付随する細長い空気出口に流体接続する空気路であって、この細長い空気出口はこのアームにほぼ平行に配置されて、頭髪の長さに概略沿って空気を吹き出すように構成されている空気路と；
このアームの髪受け面に、あるいはこれに近接して取り付けられたブラシ手段とを具えるヘアスタイリングデバイスを提供している。
【０００７】
本発明の別の態様によると：
互いに対し閉じることができる二つの前記細長いアームを具え、各アームが髪受け面を有する一対のトングと；
この髪受け面の一つに連結された加熱部材と；
少なくともこのアームの一方に連結されており、このアームの前記髪受け面に付随している空気出口に流体接続された空気路と；
前記空気路に機能的に接続され、前記通路を通って前記細長い空気出口から出る空気の流れを加熱する空気加熱手段と；
少なくとも前記アームの一方の髪受け面に、あるいはこれに近接して取り付けられたブラシ手段とを具えるヘアスタイリングデバイスを提供している。
【０００８】
好ましくは、ヘアスタイリングデバイスは、空気路に機能的に取り付けられ、空気路と空気出口を通して空気を流すためのファンを具えている。さらに好ましくは、当該ファンが、１又はそれ以上のアームに固定的に取り付けられたファンケーシング内に設けられている。代替的には、このファンは空気路に連通するフレキシブルパイプに接続しているファンケーシング内に設けられている。
【０００９】
好ましくは、このデバイスは空気路に機能的に連結されている空気ヒータを具える。さらに好ましくは、当該空気ヒータは前記ファンケーシング内に設けられている。
【００１０】
好ましくは、前記ブラシ手段は、平らな毛の１又はそれ以上の列を具える。代替的に、又は追加的に、このブラシ手段は、回転可能に設けられたブラシを具え、当該ブラシは、動力手段に連結されて、円運動するように駆動する。
【００１１】
好ましくは、前記１又はそれ以上の髪受け面は、それぞれのアームに対してバネ付勢されている。
【００１２】
好ましくは、前記細長いアームは、互いに開いた位置へ離れるように付勢又は押されている。
【００１３】
好ましくは、前記ヘアスタイリングデバイスは、前記細長いアーム又は対のトングが取り外し可能に取り付けられた把手を具えるモジュール設計である。
【００１４】
好ましくは、前記ヘアスタイリングデバイスは、これに動力を供給するバッテリを具える。代替的に、前記ヘアスタイリングデバイスは、主電源によって動力を供給するように構成されている。
【００１５】
本発明の性質をより簡単に理解するために、ヘアスタイリングデバイスのいくつかの好適な実施形態を添付図面を参照してここに示すが、ほんの一例にすぎない。
【発明を実施するための最良の形態】
【００１６】
ヘアスタイリングデバイスの一の実施形態が図１及び２に示されており、これを全体として符号１０で示す。ヘアスタイリングデバイス１０は、アーム１２の一部に沿って延在する平らでほぼ長方形の髪受け面１４を有する細長いアーム１２を具えている。髪受け面１４は、セラミックもしくはアルミニウムなどの金属又はプラスチックで作ることができる。アーム１２内に、電気モータ２０で駆動するファン１８によって内部に吹き込まれる空気が通る空気路１６がある。この実施形態では、ファン１８及びモータ２０は、アーム１２に固定的に取り付けられたファンケーシング２２内に設けられており、このファンケーシング２２は、また、空気を加熱する加熱部材２３を具えている。
【００１７】
しかしながら、いくつかの別の実施例では、ファンケーシングは、アーム１２と分離しているが、空気路１６に連通するフレキシブルパイプによってアーム１４に連結している。
【００１８】
空気路１６は、アーム１２に平行であって、髪受け面１４の側部に沿って延在している細長い空気出口２４を具えている。空気出口２４は、髪受け面１４にわたって、アーム１２に垂直に面１４上に位置される頭髪の長さに概略沿って空気を吹き出すように構成されている。髪受け面１４に、ブラシを形成する毛２６を取り付けているが、いくつかの実施例では、毛２６を面１４の端部に沿って配置することができる。毛は、ナイロン、ワイヤ、金属、銅、骨、プラスチック、アルミニウム、純毛、又は他の種類の毛から作ることができる。ここに図示しないいくつかの実施形態は、ブラシはアーム１２に回転可能に取り付けられており、電気モータに連結されて、円運動するように駆動する。ブラシは円形であるが、四角など別の形にすることもできる。これによって頭髪を伸張できる。
【００１９】
ヘアスタイリングデバイス１０は、モジュール設計であり、把手又はハンドグリップ２８を具えている。
【００２０】
ヘアスタイリングデバイスのこの実施形態は、主電源を有するが、代替的にバッテリによって動力を供給することができる。
【００２１】
ヘアスタイリングデバイスの別の実施形態が図３に示されており、これを全体として符号３０で示す。ヘアスタイリングデバイス３０は、互いに対して閉じることができる二つの細長いアーム３２及び３４を有する一対のトングを具えている。このアーム３２及び３４は、互いに開いた位置へ離れるように付勢又は押されている。各アームは、ほぼ長方形の髪受け面３６及び３８を有している。この面は、例えば、セラミック、アルミニウム、又はチタニウムなどで作ることができる。髪受け面３６及び３８の一方又は両方は、髪受け面３６のすぐ下に連結している加熱部材４０によって加熱される。アーム３２内には、電気モータ４６によって駆動するファン４４によって内部に吹き込まれる空気が通る空気路４２がある。このファン４４及びモータ４６は、アーム３２及び３４に取り付けられたファンケーシング４８内に設けられており、このファンケーシング４８は、また、空気を加熱する加熱部材５０を具えている。
【００２２】
空気路４２は、アーム３２に平行であって髪受け面３６の側部に沿って延在する細長い空気出口５２を具えている。空気出口５２は、髪受け面３６にわたって、アーム３２に垂直に面３６上に位置される頭髪の長さに概略沿って空気を吹き出すように構成されている。髪受け面３６及び３８に、ブラシを形成する毛４３を取り付けているが、いくつかの実施形態では、毛を代替的に面３６及び３８の端部に沿って配置することができる。いくつかの実施形態は、ブラシは、アーム１２に回転可能に取り付けられており、電気モータに連結されて、円運動するようにブラシは駆動する。これによって頭髪を伸張できる。
【００２３】
髪受け面３６及び３８は、それぞれのアーム３２及び３４に対してバネ付勢されており、これらが完全に閉じる前に、面３６と３８との間に配置された頭髪に圧力を加える。各面は、約２ｍｍ動かすことができる。
【００２４】
ヘアスタイリングデバイスのこの実施形態は、主電源を有するが、代替的にバッテリによって動力を供給することができる。ヘアスタイリングデバイスは、モジュール設計であり、アーム１２又はトングが取り外し可能に取り付けられた把手又はハンドグリップ５３を具えている。図４は、図３のヘアスタイリングデバイスのいくつかの構成部品を説明している。
【００２５】
図３の実施形態と似た、ヘアスタイリングデバイスの別の実施形態を図３ａに示し、符号３１で示す。図３の特徴と機能的に共通する図３ａの特徴には、同じ番号を付してある。細長い空気出口５２の構造が、図３ａのＡ−Ａ断面図で示されている。細長い空気出口５２を出る空気は、気流線で示すように、髪受け面３６及び３８にわたるシュラウド５３によって偏向される。図３ａの実施形態の特徴的な構成は、空気加熱部材５０がアーム３２及び３４内に設置されていることである。別の特徴的な構成としては、毛が髪受け面３６及び３８の片側に沿った、着脱可能なストリップに設けられていることである。このヘアスタイリングデバイスは、主電源に接続するための電源コード３３を具えている。
【００２６】
図５乃至１２は、図３及び４に示したヘアスタイリングデバイスと似た別の実施例を示している。図面の部品リストに対応する参照符号が使用されている。
【００２７】
ヘアスタイリングデバイスの別の実施形態を図１３に示しており、符号６０で示す。この実施形態では、ファン、モータ及び加熱部材を包含するファンケーシング６２は、アーム６４及び６６と分離しているが、加熱された空気を運ぶフレキシブルパイプ６８によってアーム６４及び６６に接続されいる。図１４は、アーム６４及び６６のさらに詳細な図を示している。図１５は、電源ケーブル７０で主電源に接続されたファンケーシング６２のさらに詳細な図を示している。  
【００２８】
図１６は、使用時の本発明のヘアスタイリングデバイス８０の一の実施形態を示す。頭髪８１を、髪受け面８２と８４の間に配置し、アーム８６と８８を互いに閉じて頭髪を捉える。次いで、ヘアスタイリングデバイスを、伸ばした頭髪８２に沿って頭皮９０から概略離れる方向に引っ張る。空気の流れる方向も、頭皮９０から概略離れる方向となる。重要なことは、空気の流れが頭髪の長さに概略沿った頭皮９０から離れる方向であることである。
【００２９】
図１７及び１８は、本発明によるヘアスタイリングデバイスの一の実施形態の仕様書である。
【００３０】
当業者であれば、広く記載した本発明の意図と範囲から外れることなく、特定の実施形態で説明した本発明に対して多くの変更および／または修正できることを理解するであろう。例えば、髪受け面は、真っ直ぐなプレートではなく、頭髪を巻く、カールする、曲げる、反転する、螺旋にする又は真っ直ぐにするフロックプレート、深い波プレート、又はマイクロ波形プレートでもよい。さらに、処理している間に頭髪を保護するローション又はいくつか他のヘア製品など熱保護剤を利用する手段を有してもよい。ブラシ手段は、記載した毛よりむしろ比較的固い櫛状部品の形でもよい。それゆえ、本実施形態は、全ての事項は説明として考慮されるものであって、制限するためのものではない。
【００３１】
仕様書−ヘアスタイル器具
【００３２】
付属書類１（図１７を参照）
１  概要
主操作の電気デバイスは、ヘアドライヤ、ヘアブラシ及びスタイリング加熱プレートの機能を併用することを意図するものである。このユニットの全体の外観及び触感は、鋭い端部又は目に見える留め具のない高品質なものである。
２  電気
２．１  米国スペック（１１０Ｖ、６０Ｈｚ）及びオーストラリア／英国スペック（２２０乃至２４０Ｖ、５０Ｈｚ）の両方の型で製造できる。
２．２  二重絶縁である。
２．３  総消費電力＝最大１８００Ｗ
２．４  ファンモータは、ケースに入った、永久磁石式のＤＣモータが推奨される。
２．５  熱過負荷保護は、各加熱プレートと空気加熱部材に必要である。
２．６  ここに加熱された空気の制御の３設定をリストする：
２．６．１  無風、すなわち：オフ
２．６．２  ファン最大速、５０％空気加熱
２．６．３  ファン最大速、１００％空気加熱（出力空気温度１００Ｄｅｇ．Ｃ  ｍｉｎ）
２．７  加熱プレートの制御は、上記の制御と独立しており、単にオンとオフのみである。加熱プレートの機能面の温度は、１６０ｄｅｇ  Ｃ  ｍｉｎである。
２．８  各「トング」に一つずつ、２つの空気加熱部材が必要である。
２．９  空気加熱部材には、ファンが稼働しない限り、動力は供給されない。
３  機械
３．１  総重量＝７５０ｇ
３．２  全体外形寸法は下記の図面を参照する。
３．３  トングには、特定の角度に開くようにバネが取り付けられている。
３．４  スイッチの設定が不意に変わらないように制御部は凹んでいなければならない。
３．５  外側全面は平坦である。
【００３３】
付属書類２（図１８を参照）
４  トング構造
４．１  ２つのトングはそれぞれ、この内部に４つの作動部品を具えている。これらの部材の相対位置が、添付図面に符号＆で示されていることに留意されたい：
４．１．１  空気加熱部材は、図に示すダクト内に配置されている。
４．１．２  加熱プレートにバネが取り付けられている。バネ付勢は、プレートが完全に閉じる前にプレート間の頭髪に圧力を加えるために必要である。これらの加熱プレートは約１乃至２ｍｍ移動できる必要がある。
４．１．３  ブラシストリップは交換可能である。これらのストリップは、使用に伴いすり減るので、交換しなければならない。
４．１．４  長くて、細く、曲がったダクトは、加熱された空気を隣接する加熱プレートに向かわせるようにハウジングの中に組み込まれている。図面参照。
【図面の簡単な説明】
【００３４】
【図１】図１は、ヘアスタイリングデバイスの一の実施形態の斜視図を示す；
【図２】図２は、図１のヘアスタイリングデバイスの平面図を示す；
【図３】図３は、ヘアスタイリングデバイスの別の実施形態の斜視図を示す；
【図３ａ】図３ａは、図３の実施形態と似たヘアスタイリングデバイスの別の実施形態の断面立面図を示す；
【図４】図４は、図３のヘアスタイリングデバイスのいくつかの構成部品を示す；
【図５】図５は、図３の実施形態と似たヘアスタイリングデバイスのいくつかの別の実施形態を示す；
【図６】図６は、図３の実施形態と似たヘアスタイリングデバイスのいくつかの別の実施形態を示す；
【図７】図７は、図３の実施形態と似たヘアスタイリングデバイスのいくつかの別の実施形態を示す；
【図８】図８は、図３の実施形態と似たヘアスタイリングデバイスのいくつかの別の実施形態を示す；
【図９】図９は、図３の実施形態と似たヘアスタイリングデバイスのいくつかの別の実施形態を示す；
【図１０】図１０は、図３の実施形態と似たヘアスタイリングデバイスのいくつかの別の実施形態を示す；
【図１１】図１１は、図３の実施形態と似たヘアスタイリングデバイスのいくつかの別の実施形態を示す；
【図１２】図１２は、図３の実施形態と似たヘアスタイリングデバイスのいくつかの別の実施形態を示す；
【図１３】図１３は、ファンケーシングがフレキシブルパイプによってアームに連結しているヘアスタイリングデバイスの別の実施形態を示す；
【図１４】図１４は、図１３のヘアスタイリングデバイスのアームの拡大斜視図である；
【図１５】図１５は、図１３のヘアスタイリングデバイスのファンケーシングの拡大斜視図である；
【図１６】図１６は、使用時のヘアスタイリングデバイスの一の実施形態の斜視図である；
【図１７】図１７は、ヘアスタイリングデバイスの一の実施形態の仕様書である；
【図１８】図１８は、図１７の仕様書の続きである。
【図１】
2009505699.tif 000003
【図２】
2009505699.tif 000004
【図３】
2009505699.tif 000005
【図３ａ】
2009505699.tif 000006
【図４】
2009505699.tif 000007
【図５】
2009505699.tif 000008
【図６】
2009505699.tif 000009
【図７】
2009505699.tif 000010
【図８】
2009505699.tif 000011
【図９】
2009505699.tif 000012
【図１０】
2009505699.tif 000013
【図１１】
2009505699.tif 000014
【図１２】
2009505699.tif 000015
【図１３】
2009505699.tif 000016
【図１４】
2009505699.tif 000017
【図１５】
2009505699.tif 000018
【図１６】
2009505699.tif 000019
【図１７】
2009505699.tif 000020
【図１８】
2009505699.tif 000021
【国際調査報告】
2009505699.tif 000022
2009505699.tif 000023
2009505699.tif 000024
2009505699.tif 000025
2009505699.tif 000026